(57)【要約】      （修正有）【課題】簡単な構成で、眼球の交換が容易なマネキン人形の頭部を提供する。【解決手段】内側が中空で顔面に義眼露出孔が設けられた頭部本体と、頭部本体の内側に配設されて義眼露出孔から瞳部を露出させる義眼３０とを備えたマネキン人形の頭部１において、頭部本体は、義眼露出孔の周縁部内側に、義眼３０の球面に倣って形成された保持面を有する義眼保持部２０と、義眼保持部２０に設けられるとともに義眼３０の背面の係合面３２に係合されて義眼３０を保持面に当接させて位置決め保持する係合位置Ｐ１と係合を解除して義眼３０の取り外しを可能とする解除位置とを取り得る爪状部材（係止具）２４と、を備える。【選択図】図６
0003187529.tif 000002
【実用新案登録請求の範囲】
【請求項１】
内側が中空で顔面に義眼露出孔が設けられた頭部本体と、前記頭部本体の内側に配設されて前記義眼露出孔から瞳部を露出させる義眼とを備えたマネキン人形の頭部において、
前記頭部本体は、前記義眼露出孔の周縁部内側に、前記義眼の球面に倣って形成された保持面を有する義眼保持部と、前記義眼保持部に設けられるとともに前記義眼の背面側に係合されて前記義眼を前記保持面に当接させて位置決め保持する係合位置と係合を解除して前記義眼の取り外しを可能とする解除位置とを取り得る係止具と、を備える、
ことを特徴とするマネキン人形の頭部。
【請求項２】
前記頭部本体は、後頭部に、作業者の手を挿入して前記義眼を着脱するための操作孔を有する、
ことを特徴とする請求項１に記載のマネキン人形の頭部。
【請求項３】
前記義眼は、前記背面側に円形の係合面を有する半球状に形成され、
前記係止具は、前記係合位置に配置された際に、前記係合面の１つの直径に当接する、
ことを特徴とする請求項２に記載のマネキン人形の頭部。
【請求項４】
前記義眼は、前記瞳部の色がそれぞれ異なる２つの半球状の部分を前記係合面側で合わせて球状に形成されている、
ことを特徴とする請求項３に記載のマネキン人形。
【請求項５】
前記係止具は、前記義眼保持部側に、前後方向を向いた揺動中心を有する爪状部材によって形成されている、
ことを特徴とする請求項１ないし４のいずれか１項に記載のマネキン人形の頭部。
【請求項６】
前記係止具は、両端を前記保持部に固定されて中間部を前記係合面に当接し得る、弾性を有する紐状部材によって形成されている、
ことを特徴とする請求項１ないし４のいずれか１項に記載のマネキン人形の頭部。
【考案の詳細な説明】
【技術分野】
【０００１】
本考案は、マネキン人形の頭部、例えば、種々のウィッグ（カツラ）を付け替えることが可能なマネキン人形の頭部に関する。
【背景技術】
【０００２】
人形は、愛玩用に使用されたり、ウィッグ（カツラ）等の試着に使用されたりする。このような人形においては、目（瞳）の色を変えたり、視線を動かしたり（調整したり）することで、顔全体（頭部全体）の表情を大きく変化させることができる。
【０００３】
例えば、特許文献１，２では、目の色（瞳の色）の異なる眼球に交換することで、目の色を変更し、また、眼球を回転させることで視線を動かすようにしたものが開示されている。
【０００４】
特許文献１のものは、中空の頭部の眼球露出穴の内側に、棒状の取付部本体を後方に延びるように固定し、この取付部本体によって眼球押え部を前後方向摺動可能に支持する。眼球押え部には、眼球の後部に嵌合可能な円形の嵌め合い部が形成されていて、眼球露出穴とこの嵌め合い部との間に眼球を挟み込んだ後、取付部本体のカシメ部によって眼球押え部を固定することで、眼球を回転可能に支持している。
【０００５】
一方、特許文献２のものは、中空の頭部の目の裏側に円筒を配し、球体の眼球、あるいは半球状の補助器具を取り付けた眼球を入れ、スプリングが付いた蓋によって眼球を回転可能に保持している。
【０００６】
上述したように、特許文献１，２のものは、いずれも、眼球の交換及び視線の調整（移動）が可能となるように構成されている。
【先行技術文献】
【特許文献】
【０００７】
【特許文献１】特開２００６−１３６４５１号公報
【特許文献２】特開２００８−２５９８８６号公報
【考案の概要】
【考案が解決しようとする課題】
【０００８】
しかしながら、上述の特許文献１，２のものは、眼球の視線を容易に移動（調整）できるように構成しているため、その構成が複雑となり、眼球の交換作業が煩雑になるという問題があった。
【０００９】
そこで、本考案は、簡単な構成で、眼球の交換が容易なマネキン人形の頭部を提供することを目的とするものである。
【課題を解決するための手段】
【００１０】
請求項１に係る考案は、内側が中空で顔面に義眼露出孔が設けられた頭部本体と、前記頭部本体の内側に配設されて前記義眼露出孔から瞳部を露出させる義眼とを備えたマネキン人形の頭部において、前記頭部本体は、前記義眼露出孔の周縁部内側に、前記義眼の球面に倣って形成された保持面を有する義眼保持部と、前記義眼保持部に設けられるとともに前記義眼の背面側に係合されて前記義眼を前記保持面に当接させて位置決め保持する係合位置と係合を解除して前記義眼の取り外しを可能とする解除位置とを取り得る係止具と、を備える、ことを特徴とする。
【００１１】
請求項２に係る考案は、請求項１に係るマネキン人形の頭部において、前記頭部本体は、後頭部に、作業者の手を挿入して前記義眼を着脱するための操作孔を有する、ことを特徴とする。
【００１２】
請求項３に係る考案は、請求項２に係るマネキン人形の頭部において、前記義眼は、前記背面側に円形の係合面を有する半球状に形成され、前記係止具は、前記係合位置に配置された際に、前記係合面の１つの直径に当接する、ことを特徴とする。
【００１３】
請求項４に係る考案は、請求項３に係るマネキン人形において、前記義眼は、前記瞳部の色がそれぞれ異なる２つの半球状の部分を前記係合面側で合わせて球状に形成されている、ことを特徴とする。
【００１４】
請求項５に係る考案は、請求項１ないし４のいずれか１項に係るマネキン人形の頭部において、前記係止具は、前記義眼保持部側に、前後方向を向いた揺動中心を有する爪状部材によって形成されている、ことを特徴とする。
【００１５】
請求項６に係る考案は、請求項１ないし４のいずれか１項に係るマネキン人形の頭部において、前記係止具は、両端を前記保持部に固定されて中間部を前記係合面に当接し得る、弾性を有する紐状部材によって形成されている、ことを特徴とする。
【考案の効果】
【００１６】
請求項１の考案によれば、係止具を解除位置に移動させることで、義眼保持部に対する義眼の着脱を行うことができ、保持面に義眼を当接させた後、係止具を係合位置に移動させることで義眼を位置決め保持することができる。つまり、簡単な構成、動作で義眼を着脱し、位置決め保持することができる。
【００１７】
請求項２の考案によれば、操作孔を介して義眼を着脱することができる。
【００１８】
請求項３の考案によれば、係止具における係合面との当接部分を基準（中心）として、義眼を回転（揺動）することができるので、瞳部の視線を変更することができる。
【００１９】
請求項４の考案によれば、１つの義眼を、それぞれ色の異なる瞳部を有する半球部分を合わせて構成しているので、義眼を反転することにより、瞳部の色を簡単に変更することができる。
【００２０】
請求項５の考案によれば、揺動可能な爪部を係合位置に配置することで、義眼を保持し、また、解除位置に配置することで、義眼の着脱が可能となる。
【００２１】
請求項６の考案によれば、係合位置に配置された紐状部材により、義眼を保持し、また、紐状部材を弾性変形させて解除位置に配置することで、義眼の着脱が可能となる。
【図面の簡単な説明】
【００２２】
【図１】図１〜図１０は実施形態１を説明する図であり、図１は頭部１の正面図である。
【図２】頭部１の背面図である。
【図３】頭部１の左側面図である。
【図４】図１中のIV−IV端面図である。
【図５】図１中のＶ−Ｖ端面図である。
【図６】図３中のVI−VI断面拡大図である。
【図７】義眼３０を前側から見た斜視図である。
【図８】義眼３０を背面側から見た斜視図である。
【図９】義眼３０を取り外した状態の頭部１（頭部本体１０）の正面図である。
【図１０】義眼３０を取り外した状態の図６に相当する図である。
【図１１】実施形態２を説明する図であり、（Ａ）は義眼３０を取り付けた状態の義眼保持部２０を背面側から見た拡大図であり、（Ｂ）は、（Ａ）の変形例を説明する図である。
【図１２】実施形態３を説明する図であり、義眼３０の係合面３２の中心Ｄを通り、かつ左右方向に直交する平面で切った縦断面図である。
【図１３】実施形態４を説明する図であり、（Ａ）は義眼３０を取り付けた状態の義眼保持部２０を背面側から見た拡大図であり、（Ｂ）は、（Ａ）の変形例を説明する図である。
【図１４】実施形態５を説明する図であり、義眼４０における前後方向を向いた中心軸を含む平面で切った縦断面図である。
【考案を実施するための形態】
【００２３】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２４】
図１〜図１０を参照して本考案を適用した実施形態１に係るマネキン人形の頭部（以下単に「頭部」という。）１について説明する。
【００２５】
図１，図２，図３は、この順に、頭部１の正面図，背面図，左側面図である。図４は、図１中のIV−IV端面図である。図５は、図１中のＶ−Ｖ端面図である。図６は、図３中のVI−VI断面拡大図である。図７は、義眼３０を前側から見た斜視図であり、図８は、義眼３０を背面側から見た斜視図である。図９は、義眼３０を取り外した状態の頭部１（頭部本体１０）の正面図である。図１０は、義眼３０を取り外した状態の図６に相当する図である。
【００２６】
頭部１は、図４に示すように、内側が中空の頭部本体１０と、この頭部本体１０の内側に配設された義眼３０，３０とを備えて構成されている。図１〜図３に示すように、頭部１は、その外観が人間の頭部を模して形成されている。ただし、図示例の頭部１は、例えば、ウィッグ（カツラ）の試着用に使用されるため、人間の頭髪に相当する部分は、形成されていない。なお、頭部本体１０には、図３に示すように、左側面側に、ウィッグ（不図示）を頭部本体１０に固定するためのピン（不図示）を挿し込むピン孔１０ａ，１０ａが設けてある。なお、頭部本体１０の右側面側にも同様のピン孔（不図示）が設けてある。
【００２７】
頭部本体１０は、正面側（前側）に位置する顔面１１に、目部１２，１２、鼻部１３、口部１４、耳部１５，１５等が設けてあり、また、背面側（後側）に位置する後頭部１６には、作業者の手の出し入れが可能な操作孔１７が設けてある。
【００２８】
これらのうち、目部１２，１２は、頭部本体１０に穿設された義眼露出孔１８，１８と、これら義眼露出孔１８の背面側に位置する義眼保持部２０，２０と、義眼３０，３０とを有している。
【００２９】
義眼露出孔１８は、図９，図１０に示すように、横長に形成されている。
【００３０】
義眼保持部２０全体は、義眼露出孔１８の背面側（内側）に直方体状に突出するように設けられている。義眼保持部２０は、背面側（後方）に向かって開口する開口部２１ａを有する、略半球状の凹部２１が形成されていて、この凹部２１の表面は、義眼３０の表面形状に倣った略球面状の保持面２２となっている。保持面２２の前端は、義眼露出孔１８が連続していて、義眼露出孔１８の周縁部の内側（背面側）に保持面２２が環状に形成されている。義眼保持部２０の背面２３は、中央に開口部２１ａを有する額縁状に形成されていて、背面２３の上端側及び下端側には、係止具としての２つ（一対）の爪状部材２４，２４が取り付けられている。
【００３１】
各爪状部材２４は、図６に示すように、その基端部２４ａを貫通するねじ２５によって揺動自在に支持されている。上側のねじ２５、及び下側のねじ２５は、義眼保持部２０の背面２３における、開口部２１ａの中心Ｃの直上及び直下に、後方から前方に向けて螺合されている。したがって、ねじ２５，２５によって揺動自在に支持された爪状部材２４，２４は、前後方向に対して直交する平面上（背面２３が位置する平面と略一致）で揺動できるように構成されており、開口部２１ａに突出されて後述する義眼３０の係合面（背面側）３２に係合して義眼３０の当接面３１を保持面２２に当接させて位置決め保持する係合位置Ｐ１と、開口部２１ａから退避して義眼３０に対する係合を解除し、義眼保持部２０に対する義眼３０の着脱を可能にする解除位置Ｐ２とを取ることができる。ここで、図６に示す例では、各爪状部材２４は、それぞれの先端部２４ｂを、開口部２１ａの中心Ｃに向けた姿勢で係合位置Ｐ１に配置されている。また、図１０に示す例では、各爪状部材２４は、それぞれの先端部２４ｂを左方に向けた姿勢で解除位置Ｐ２に配置されている。なお、係合位置Ｐ１、解除位置Ｐ２のいずれも、図６，図１０に示す姿勢に限定されず、前者の係合位置Ｐ１については、各爪状部材２４が、義眼３０の係合面３２に係合して義眼３０を位置決め保持できる位置であれば十分であり、後者の解除位置Ｐ２については、各爪状部材２４が開口部２１ａから退避して、義眼３０の着脱ができる位置であれば十分である。
【００３２】
各義眼３０は、図７，図８に示すように、略半球状に形成されていて、前面側には、球面状の当接面３１を有し、後面側には円形の係合面３２を有している。また、当接面３１の中央には、瞳部３３が設けられている。義眼３０としては、この瞳部３３の色がそれぞれ異なる複数種のもの、例えば、瞳部３３の色が黒、茶色、青等のものがあらかじめ準備されている。義眼３０は、その当接面３１が、上述の義眼保持部２０の凹部２１の保持面２２に倣って形成されており、したがって、義眼３０を凹部２１に取り付けた際には、義眼３０側の当接面３１が、凹部２１側の保持面２２に万遍なく接触（当接）するようになっている。義眼３０は、この当接状態において、その係合面３２が義眼保持部２０の背面２３と略一致するようになっている。各義眼３０は、上述のように、略半球状に形成されていて、また、瞳部３３が当接面３１の中央に設けてあるので、前後についての方向性があるのみで、上下及び左右についての方向性はない。つまり、上下及び左右については対称に構成されている。このため、義眼３０を義眼保持部２０に取り付ける際に、義眼３０の当接面３１を、義眼保持部２０の背面２３側から保持面２２に当接させさえすれば、義眼３０の上下左右、さらには前後の位置決めを行うことができる。この状態で、爪状部材２４を解除位Ｐ２から係合位置Ｐ１に移動させて、義眼３０の係合面３２に係合させさえすれば、義眼３０を所定の位置に、簡単に位置決め保持することができる。また、この逆に、位置決め保持した義眼３０を取り外す際には、爪状部材２４を係合位置Ｐ１から解除位置Ｐ２に移動させさえすれば、義眼３０を簡単に、義眼保持部２０から取り外すことができる。このように、義眼保持部２０に対する義眼３０の着脱は、極めて容易であるため、着脱作業中の手先を視認することなく、指先の感覚のみで行うことができる。このため、次に説明する操作孔１７の大きさや位置についての制約が少なくなる。
【００３３】
上述のように、頭部本体１０における後頭部１６には、操作孔１７が穿設されている。この操作孔１７は、作業者が頭部本体１０の内側に手を挿入し、爪状部材２４を操作することにより、つまり爪状部材２４を係合位置Ｐ１や解除位置Ｐ２に移動させることにより、義眼３０を位置決め保持させたり、取り外したりするためのものである。操作孔１７は、従来技術のもの（特許文献１，２）とは異なり、頭頂部１０ｂを外して、頭頂部１０ｂよりも後方に、比較的（特許文献１，２と比較して）立った状態（垂直に近い傾斜状態）で設けられている。しかも、上述のように、義眼３０の着脱作業に際して、手先を視認する必要がないので、作業者の片手が挿入可能な小さい大きさに形成することができる。操作孔１７は、このように、頭頂部１０ｂよりも後方に、垂直に近い傾斜状態で設けられ、しかも大きさを小さくすることが可能である。このため、操作孔１７は、特に、蓋部材を設けないでも、上述のピン孔１０ａを利用して頭部１にウィッグを被せた際に、例えば、ウィッグにおける操作孔１７に対応する部分が陥没したりすることなく、ウィッグの自然な状態を維持することができる。つまり、蓋部が無いにもかかわらず、蓋部を設けて、ウィッグを被せた状態と同様な状態を創り出すことが可能である。なお、頭部１が、例えば、ウィッグや帽子類の試着用に使用されるものではなく、操作孔１７が露出されるおそれがある場合には、適宜、操作孔１７を閉蓋する蓋部を設けるようにしてもよい。
【００３４】
次に、上述構成の頭部１における、義眼３０の着脱について説明する。瞳部３３が黒い義眼３０を着脱する場合を例に説明する。
【００３５】
まず、頭部本体１０の義眼保持部２０の爪状部材２４を解除位置Ｐ２に配置する。
【００３６】
次に、一方の手（例えば、右手）に義眼３０を持ち、操作孔１７から頭部本体１０の内側に手を入れる。義眼３０をその当接面３１が前側を向くようにして、義眼保持部２０の凹部２１に嵌めて、当接面３１を凹部２１の保持面２２に当接させる。これにより、頭部本体１０に対する（義眼保持部２０に対する）義眼３０の位置決めが終了する。その後、解除位置Ｐ２に配置されていた爪状部材２４を、指先で、係合位置Ｐに移動させて、義眼３０の係合面３２に当接させる。以上の簡単な取り付け作業により、義眼３０を位置決め保持することができる。こうして一方の義眼３０を取り付けた後、他方の義眼３０についても同様にして取り付ける。
【００３７】
義眼保持部２０から義眼３０と取り外すには、上述の取り付け時と逆の作業を行う。すなわち、係合位置Ｐ１に配置されている爪状部材２４を、指先で解除位置Ｐ２に移動させて、開口部２１ａから退避させる。その後、義眼３０を指先でつまんで、操作孔１７から取り出す。なお、本実施形態によれば、上述のように義眼３０を位置決め保持するための構成が簡単で、義眼３０の着脱動作も容易であるため、例えば、２つの義眼３０の取り付けに際し、１つずつの個別ではなく、２つを同時に手で持って、その手を操作孔１７から挿入して、１つの義眼３０の取り付けを終了した後、操作孔１７から手を抜くことなく、引き続き、２つ目の義眼３０を同様に取り付けることができる。なお、２つの義眼の取り外しに際しても同様である。すなわち、一度、操作孔１７から挿入した手を１つの義眼３０を取り外した後に、操作孔１７から引き抜くことなく、そのまま引き続き２つ目の義眼３０を取り外し、その後、手を操作孔１７から引き抜いて、２つの義眼３０を同時に引き出すことができる。なお、上述の義眼３０の着脱は、着脱のための構成が上述のように簡素に構成されているため、指先を目視する必要がなく、指先の感覚のみで行うことが可能である。
【００３８】
以上の、瞳部３３が黒い義眼３０は、例えば、毛髪が黒いウィッグを頭部１に被せる際に使用する。
【００３９】
一方、毛髪が金髪であるウィッグを頭部１に被せる場合には、例えば、瞳部３３が青い義眼３０を取り付ける。なお、この義眼３０は、瞳部３３の色が上述の黒とは異なり青である点を除いて、形状的には、瞳部３３が黒い義眼３０と同形であるので、着脱動作については上述と同様である。
【００４０】
さらに、例えば、瞳部３３が茶色の義眼３０等を準備するようにしてもよい。
【００４１】
本実施形態の係る頭部１は、簡単な構成であり、しかも、義眼３０の位置決め保持や着脱が極めて容易である。このため、操作孔１７の大きさや位置についての大きな制約がなく、必要最小限の大きさ、例えば、作業者の片手がぎりぎり入る程度の大きさに抑えることができ、また、位置についても、頭頂部１０ｂを外して、頭頂部１０ｂよりも後方の後頭部に、比較的立った状態で設けることができる。このため、操作孔１７に対して、特にこれを閉蓋するための蓋部を設けることなく、ウィッグを被せたときに、操作孔１７を覆い隠し、しかも、ウィッグの外観が操作孔１７に対応して陥没するようなことがなく、自然な外観を維持することができる。
【００４２】
以上の説明では、２つ（一対）の爪状部材２４を、義眼保持部２０の額縁状の背面２３の上端側及び下端側に上下に配置した例を説明したが、これに限定されず、例えば、左端側及び右端側に左右に配置してもよく、さらには、上下や左右の間の斜めに配置するようにしてもよい。さらに、２つの爪状部材２４を使用する例を説明したが、これに限らず、例えば、１つの大きめの爪状部材２４、例えば、係合位置に配置した際に、先端部２４ｂが、義眼３０の円形の係合面３２の中心を覆うような大きさの爪状部材２４を設けるようにしてもよい。
＜実施形態２＞
【００４３】
図１１（Ａ），（Ｂ）を参照して、本考案を適用した実施形態２に係るマネキン人形の頭部（以下単に「頭部」という。）について説明する。ここで、図１１（Ａ）は、義眼３０を取り付けた状態の義眼保持部２０を背面側から見た拡大図である。また、図１１（Ｂ）は、図１１（Ａ）の変形例を説明する図である。
【００４４】
本実施形態においては、係止具として、上述の実施形態１では爪状部材２４を使用していたのに代えて、棒状部材２６を使用している。これにより、義眼３０の視線を移動（調整）することができるようにしている。なお、他の構成は、上述の実施形態１と同様であるので説明は省略する。
【００４５】
係止具としての棒状部材２６は、円柱状に形成されている。棒状部材２６は、義眼保持部２０の背面２３の上端側と下端側とにそれぞれ設けてあり、その基端部２６ａがねじ２５によって揺動自在に支持されて、係合位置Ｐ１（実線で図示）と解除位置Ｐ２（二点鎖線で図示）との間の移動できる。さらに、背面２３にはストッパ２７が突設されていて、解除位置Ｐ２にある棒状部材２６を移動させてストッパ２７に当接させると、係合位置Ｐ１に配置されるようになっている。このとき係合位置Ｐ１に配置された棒状部材２６は、円柱状の側面を、義眼３０の係合面３２における上下方向の直径Ｄ１に直線状に当接する。このため、義眼３０は、これら棒状部材２６を基準として、揺動することが可能となり、例えば、義眼３０の係合面３２の右端側Ａを前方に押すと、瞳部３３（図７参照）の視線が左向きに変更され、一方、係合面３２の左端側Ｂを前方に押すと、瞳部３３の視線が右向きに変更される。つまり、図１１（Ａ）の構成によると、簡単な構成でありながら、上述の実施形態１と同様の効果に加え、さらに、瞳部３３の視線を左右に変更することができるという効果を奏する。
【００４６】
図１１（Ｂ）に示すように、背面２３における左端側と右端側とにそれぞれ棒状部材２６を揺動可能に設け、係合位置Ｐ１に配置された棒状部材２６が、義眼３０の係合面３２の左右方向の直径Ｄ２に当接するようにしてもよい。この場合には、義眼３０の係合面３２の上端側を前方に押すと瞳部３３の視線を下向きに変更し、逆に、義眼３０の係合面３２の下端側を前方に押すと瞳部３３の視線を上向きに変更することができる。つまり、図１１（Ｂ）の構成によると、簡単な構成でありながら、上述の実施形態１と同様の効果に加え、さらに、瞳部３３の視線を上下に変更することができるという効果を奏する。
＜実施形態３＞
【００４７】
図１２を参照して、本考案を適用した実施形態３に係るマネキン人形の頭部（以下単に「頭部」という。）について説明する。ここで、図１２は、義眼３０の係合面３２の中心Ｄを通り、かつ左右方向に直交する平面で切った縦断面図である。
【００４８】
本実施形態においては、係止具として、上述の実施形態１では一対の爪状部材２４を使用していたのに代えて、大きな１つの爪状部材２８を使用している。これにより、義眼３０の視線を変更（移動）することができるようにしている。なお、他の構成は、上述の実施形態１と同様であるので説明は省略する。
【００４９】
係止具としての爪状部材２８は、その基端部２８ａがスペーサ２８ｄを介してねじ２５により、背面２３に揺動可能に取り付けられ、また、先端部２８ｂに、義眼３０の係合面３２の中心Ｄに係脱可能な半球状の突起２８ｃを有している。この突起２８ｃは、爪状部材２８が係合位置Ｐ１に配置された際に、係合面３２の中心Ｄに当接して、義眼３０を位置決め保持する。本実施形態によれば、上述の実施形態１の効果に加え、さらに、義眼３０の瞳部３３の視線を変更（移動）できるという効果を奏する。すなわち、義眼３０の係合面３２における中心Ｄを除く部分を前方に押すことにより、突起２８ｃを中心として義眼３０を回転（揺動）させて、押したのと同方向に瞳部３３の視線を変更することができる。係合面３２における押す位置が上端側の場合は、視線を下向きに、また、下端側の場合は上向きに、また、左端側の場合は右向きに、そして、右端側の場合は左向きにそれぞれ変更することができる。さらに、本実施形態では、係合面３２における押す部分を適宜に選択することにより、瞳部３３の視線を、上下左右ばかりでなく、斜めにも変更することが可能である。
＜実施形態４＞
【００５０】
図１３（Ａ），（Ｂ）を参照して、本考案を適用した実施形態４に係るマネキン人形の頭部（以下単に「頭部」という。）について説明する。ここで、図１３（Ａ）は、義眼３０を取り付けた状態の義眼保持部２０を背面側から見た拡大図である。また、図１３（Ｂ）は、図１３（Ａ）の変形例を説明する図である。
【００５１】
本実施形態においては、係止具として、上述の実施形態１では爪状部材２４を使用していたのに代えて、紐状部材２９を使用している。これにより、義眼３０の視線を変更（移動）することができるようにしている。なお、他の構成は、上述の実施形態１と同様であるので説明は省略する。
【００５２】
図１３（Ａ）に示すように、紐状部材２９は、例えば、伸縮可能なゴム紐及びこれに相当する部材によって構成されている。紐状部材２９はその両端部がねじ２５によって義眼保持部２０の背面２３のおける上端側及び下端側に固定されるとともに、中間部が、義眼３０の係合面３２における上下方向の直径と一致している。この位置が、紐状部材２９の係合位置Ｐ１である。なお、紐状部材２９の解除位置Ｐ２は、義眼保持部２０に対して義眼３０を着脱する際に、着脱を可能とすべく、弾性変形した際の紐状部材２９の位置が解除位置Ｐ２に相当し、特に、位置的に決まってはいない。図１３（Ａ）に示す例では、義眼３０は、紐状部材２９を基準として、左右方向に揺動することができ、これにより、瞳部３３の視線を左右方向に変更（移動）することができる。
【００５３】
図１３（Ｂ）に示す例は、紐状部材２９の両端部が、背面２３における左端側及び右端側にねじ２５によって固定されていて、中間部が、義眼３０の係合面３２の左右方向の直径と一致するようになっている。図１３（Ｂ）に示す例では、義眼３０は、左右方向を向いた紐状部材２９を基準として、上下方向に揺動することができ、これにより、瞳部３３の視線を上下方向に変更（移動）することができる。
＜実施形態５＞
【００５４】
図１４を参照して、本考案を適用した実施形態５に係るマネキン人形の頭部（以下単に「頭部」という。）について説明する。ここで、図１４は、義眼４０における前後方向を向いた中心軸を含む平面で切った縦断面図である。
【００５５】
本実施形態においては、２つの半球状の義眼３０，３０を連結して全体として球状の義眼４０を構成している。なお、他の構成は、上述の実施形態１と同様であるので説明は省略する。
【００５６】
本実施形態においては、例えば、瞳部３３が黒色である義眼３０と、青色である義眼３０とを、それぞれの係合面３２を円柱状の連結部で連結している。２つの義眼３０，３０のそれぞれの係合面３２，３２の間には、全周にわたって溝４１が形成され、この溝４１の側面４２（係合面３２に相当）に爪状部材２４が係脱される。
【００５７】
本実施形態によれば、上述の実施形態１の効果に加え、さらに、球形の義眼４０の前後を反転して、爪状部材２４を係合位置Ｐ１に配置することより、瞳部３３の色を簡単に変更することができる。
【００５８】
なお、係止具として、図１４に示す爪状部材２４に代えて、上述の実施形態２の図１１（Ａ），（Ｂ）に示す棒状部材２６を使用することも可能である。この場合には、瞳部３３の視線を上下方向や左右方向に変更することができる。
【符号の説明】
【００５９】
１  実施形態１のマネキン人形の頭部
１０  頭部本体
１７  操作孔
１８  義眼露出孔
２０  義眼保持部
２２  保持面
２４  爪状部材（係止具）
２６  棒状部材（係止具）
２８  爪状部材（係止具）
２９  紐状部材（係止具）
３０  義眼
３１  当接面
３２  係合面（義眼の背面側）
３３  瞳部
４０  義眼
Ｄ１  係合面における上下方向の直径（係合面の１つの直径）
Ｄ２  係合面における左右方向の直径（係合面の１つの直径）
Ｐ１  係合位置
Ｐ２  解除位置
【図１】
0003187529.tif 000003
【図２】
0003187529.tif 000004
【図３】
0003187529.tif 000005
【図４】
0003187529.tif 000006
【図５】
0003187529.tif 000007
【図６】
0003187529.tif 000008
【図７】
0003187529.tif 000009
【図８】
0003187529.tif 000010
【図９】
0003187529.tif 000011
【図１０】
0003187529.tif 000012
【図１１】
0003187529.tif 000013
【図１２】
0003187529.tif 000014
【図１３】
0003187529.tif 000015
【図１４】
0003187529.tif 000016
【手続補正書】
【提出日】平成25年10月2日(2013.10.2)
【手続補正１】
【補正対象書類名】実用新案登録請求の範囲
【補正対象項目名】請求項４
【補正方法】変更
【補正の内容】
【請求項４】
前記義眼は、前記瞳部の色がそれぞれ異なる２つの半球状の部分を前記係合面側で合わせて球状に形成されている、
ことを特徴とする請求項３に記載のマネキン人形の頭部。
【手続補正２】
【補正対象書類名】明細書
【補正対象項目名】００１３
【補正方法】変更
【補正の内容】
【００１３】
請求項４に係る考案は、請求項３に係るマネキン人形の頭部において、前記義眼は、前記瞳部の色がそれぞれ異なる２つの半球状の部分を前記係合面側で合わせて球状に形成されている、ことを特徴とする。